(57)【要約】【課題】  手摺装置と取付部品を簡素化して安価に構成でき、手摺装置を設計する上での制約が少なく、設計の省力化が図れるエレベータかごの手摺装置を得る。【解決手段】  エレベータかごの上部に設置され、かご上での保守作業の安全性を確保する手摺装置において、エレベータかごの上部に設けられ、手摺差込穴３ｄが設けられたかご上枠３と、Ｕ字状に折り曲げて両側２本の柱６ａと上桟６ｂを構成した複数の手摺６とを備え、保守作業時に前記複数の手摺６の柱６ａの下端部を前記かご上枠３の手摺差込穴３ｄにそれぞれ着脱自在に差し込んで手摺装置を組み立てるとともに、手摺不要時には前記複数の手摺の柱の下端部を前記かご上枠の手摺差込穴から引き抜いて、かごの上部に載置し収納する。【選択図】    図１
2006117367.tif 000002
【特許請求の範囲】
【請求項１】
エレベータかごの上部に設置され、かご上での保守作業の安全性を確保するエレベータかごの手摺装置において、
エレベータかごの上部に設けられ、手摺差込穴が設けられたかご上枠と、
Ｕ字状に折り曲げて両側２本の柱と上桟を構成した複数の手摺とを備え、
保守作業時に前記複数の手摺の柱の下端部を前記かご上枠の手摺差込穴にそれぞれ着脱自在に差し込んで手摺装置を組み立てるとともに、手摺不要時には前記複数の手摺の柱の下端部を前記かご上枠の手摺差込穴から引き抜いて、かごの上部に載置し収納できるようにしたことを特徴とするエレベータかごの手摺装置。
【請求項２】
複数の手摺は、それぞれ丸パイプをＵ字状に折り曲げて両側２本の柱と上桟を構成し、更に対向する両側２本の柱の中間部に柱同士を接続する中桟を溶接接合したことを特徴とする請求項１記載のエレベータかごの手摺装置。
【請求項３】
エレベータかごの上部に設置され、かご上での保守作業の安全性を確保するエレベータかごの手摺装置において、
エレベータかごの上部に設けられ、手摺差込穴が設けられたかご上枠と、
Ｕ字状に折り曲げて両側２本の柱と上桟を構成し、後端部側の柱に取付板を固定した左右の手摺と、
前記左右の手摺の後端部の取付板間に両端部が接続される後部手摺とを備え、
保守作業時に前記左右の手摺の柱の下端部を前記かご上枠の手摺差込穴にそれぞれ着脱自在に差し込みかつ左右の手摺の後端部間に後部手摺を接続することにより手摺装置を組み立てるとともに、手摺不要時には前記後部手摺を取り外しかつ前記左右の手摺の柱の下端部を前記かご上枠の手摺差込穴から引き抜いて、かごの上部に載置し収納できるようにしたことを特徴とするエレベータかごの手摺装置。
【請求項４】
かご上枠の手摺差込穴と、この手摺差込穴に差し込まれる手摺の柱の下端部との間には、手摺の上下方向の移動を規制する規制手段を設けたことを特徴とする請求項１〜請求項３のいずれかに記載のエレベータかごの手摺装置。
【請求項５】
複数の手摺とかご上枠とを紐状の接続体で接続したことを特徴とする請求項１〜請求項４のいずれかに記載のエレベータかごの手摺装置。
【発明の詳細な説明】
【技術分野】
【０００１】
この発明は、エレベータのかごの上部に設置されて、かご上での保守作業の安全性を確保するためのエレベータかごの手摺装置に関するものである。
【背景技術】
【０００２】
従来、昇降路頂部のスペースが制限されたエレベータにおいては、かごの上面に複数の保守作業用の手摺装置を折り畳み可能（起伏自在）に設置し、通常時は手摺装置を折り畳み状態（倒伏状態）とし、保守作業時には手摺装置を折り畳み状態から広げて起立状態として、かご上での保守作業の安全性を確保している（例えば、特許文献１参照）。
【０００３】
【特許文献１】特開２００２−２８４４６９号公報
【発明の開示】
【発明が解決しようとする課題】
【０００４】
従来のエレベータかごの手摺装置では、昇降路頂部のスペース縮小のために、かご上に設置される手摺装置を折り畳み可能な構成としているが、かごの上枠への接続構造が複雑となり、部品点数も多くなるため、コスト高となっていた。また、手摺装置を折り畳んだ際には、かご天井上の機器と手摺装置が干渉しないように手摺装置を構成しなければならないが、かご天井の種類によりかご上のレイアウトが異なるため、個別に対応しなければならず、手摺装置の設計に多大の時間を要していた。
【０００５】
この発明は、上述のような課題を解決するためになされたもので、手摺装置とその取付部品を簡素化して安価に構成でき、手摺装置を設計する上での制約が少なく、設計の省力化が図れるエレベータかごの手摺装置を提供するものである。
【課題を解決するための手段】
【０００６】
この発明に係るエレベータかごの手摺装置は、エレベータかごの上部に設置され、かご上での保守作業の安全性を確保するものにおいて、エレベータかごの上部に設けられ、手摺差込穴が設けられたかご上枠と、Ｕ字状に折り曲げて両側２本の柱と上桟を構成した複数の手摺とを備え、保守作業時に前記複数の手摺の柱の下端部を前記かご上枠の手摺差込穴にそれぞれ着脱自在に差し込んで手摺装置を組み立てるとともに、手摺不要時には前記複数の手摺の柱の下端部を前記かご上枠の手摺差込穴から引き抜いて、かごの上部に載置し収納できるようにしたものである。
【発明の効果】
【０００７】
この発明は、エレベータかごの上部に設けられ、手摺差込穴が設けられたかご上枠と、Ｕ字状に折り曲げて両側２本の柱と上桟を構成した複数の手摺とを備え、保守作業時に前記複数の手摺の柱の下端部を前記かご上枠の手摺差込穴にそれぞれ着脱自在に差し込んで手摺装置を組み立てるとともに、手摺不要時には前記複数の手摺の柱の下端部を前記かご上枠の手摺差込穴から引き抜いて、かごの上部に載置し収納できるようにしたので、
手摺とその取付部品を簡素化することができ、安価に構成することができる。また、手摺を収納する場合は、手摺を手摺差込穴から引き抜き、かご天井上の空きスペースに自由に置くことができるので、手摺を設計する上での制約が少なくなり、設計の省力化を図ることができる。
【発明を実施するための最良の形態】
【０００８】
実施の形態１．
図１はこの発明の実施の形態１におけるエレベータかごの手摺装置の構成を示す側面図である。
図１において、エレベータかごの上部は、かご室１、このかご室１の両側に設けられたかご枠柱２、この両かご枠柱２の上端部間をかごの間口方向で接続するかご上枠３、このかご上枠３の出入り口側に固定され、かご室１の扉４を開閉駆動するかご扉駆動装置５等から構成されている。上記かご上枠３は、左右の梁である側梁３ａと、この左右の側梁３ａ間を前後部でそれぞれ接続する前梁３ｂ及び後梁３ｃにより井桁状に組み合わされ、前梁３ｂ及び後梁３ｃはそれぞれの両端部で左右の側梁３ａと溶接接合され、全体として方形のかご上枠３が形成される。上記かご上枠３を構成する側梁３ａ、前梁３ｂ及び後梁３ｃは角パイプで構成されており、左右の側梁３ａの両端部付近及び後梁３ｃの両端部付近には、それぞれ貫通孔からなる手摺差込孔３ｄが形成されている。この手摺差込穴３ｄに両側下端部が差し込まれる手摺６は、丸パイプをＵ字状に折り曲げて両側２本の柱６ａと上桟６ｂを構成し、互いに対向する両側２本の柱６ａの中間部付近には柱６ａ同士を接続する中桟６ｃが溶接接合されている。そして、このように構成された手摺６が３個用意され、そのうちの左右２個の手摺６１、６２は、両側２本の柱６ａの下端部を、かご上枠３を構成する左右の側梁３ａの両端部付近にそれぞれ形成された貫通孔からなる手摺差込孔３ｄに差し込まれる。また、残りの１個の後部手摺６３は、かご上枠３を構成する後梁３ｃの両端部付近にそれぞれ形成された貫通孔からなる手摺差込孔３ｄに差し込まれる。これにより、かご上枠３の左右の側梁３ａ上及び後梁３ｃ上に複数の手摺６１、６２、６３を組立てることができる。また、８は一端がかご上枠３に接続され、他端が複数の手摺６に接続されるワイヤーロープ等の紐状の接続体である。このワイヤーロープ８により、手摺６の組立時、収納時に、作業者が誤って手摺６を昇降路内に落下させるのを防止することができ、手摺落下による昇降路内機器の破損を防止することができる。
なお、図１では、前梁３ｂの上には、手摺６を設けていないが、後梁３ｃ上と同様に手摺６を設けてもよいことはもちろんである。
【０００９】
この実施の形態１の構造によれば、手摺とその取付部品を簡素化することができるので、安価に構成することができる。また、手摺を収納する場合は、手摺を手摺差込穴から引き抜き、かご天井上の空きスペースに自由に置くことができるので、手摺を設計する上での制約が少なくなり、設計の省力化を図ることができる。
【００１０】
実施の形態２．
図２はこの発明の実施の形態２におけるエレベータかごの手摺装置の構成を示す側面図、図３は図２のＡ部詳細図である。
この実施の形態２においては、実施の形態１における左右の手摺６１、６２の後端部と、後部手摺６３の左右両端部とを接合できるように構成したものである。
図２において、エレベータかごの上部は、かご室１、このかご室１の両側に設けられたかご枠柱２、この両かご枠柱２の上端部間をかごの間口方向で接続するかご上枠３、このかご上枠３の出入り口側に固定され、かご室１の扉４を開閉駆動するかご扉駆動装置５等から構成されている。上記かご上枠３は、左右の梁である側梁３ａと、この左右の側梁３ａ間を前後部でそれぞれ接続する前梁３ｂ及び後梁３ｃにより井桁状に組み合わされ、前梁３ｂ及び後梁３ｃはそれぞれの両端部で左右の側梁３ａと溶接接合され、全体として方形のかご上枠３が形成される。上記かご上枠３を構成する側梁３ａ、前梁３ｂ及び後梁３ｃは角パイプで構成されており、左右の側梁３ａの両端部付近には、それぞれ貫通孔からなる手摺差込孔３ｄが形成されている。この手摺差込穴３ｄに両側下端部が差し込まれる手摺６は、丸パイプをＵ字状に折り曲げて両側２本の柱６ａと上桟６ｂを構成し、互いに対向する両側２本の柱６ａの中間部付近には柱６ａ同士を接続する中桟６ｃが溶接接合されている。そして、このように構成された手摺６が左右２個用意され、左右の手摺６１、６２は、両側２本の柱６ａの下端部を、かご上枠３を構成する左右の側梁３ａの両端部付近にそれぞれ形成された貫通孔からなる手摺差込孔３ｄに差し込まれる。
図３に示すように、左右の手摺６１、６２の後部手摺６３と接続する部分Ａには、複数の逆Ｌ字形の溝６ｅが形成された縦長の取付板６ｄが溶接固定されている。また、後部手摺６３の構造は、図３に示すように、上桟６ｂと、中桟６ｃと、これら上桟６ｂ及び中桟６ｃの両端部をそれぞれ溶接により接続された接続板６ｇとから構成されている。そして、この接続板６ｇには、上記取付板６ｄの逆Ｌ字形の溝６ｅに相当する位置にねじ穴６ｈが施工されており、このねじ穴６ｈに蝶ねじボルト６ｉが組み付けられている。
これにより、先ずかご上枠３の左右の側梁３ａ上に縦長の取付板６ｄが溶接固定された左右の手摺６１、６２を組立て、次に後部手摺６３の両端部の接続板６ｇに組み付けられた蝶ねじボルト６ｉを左右の手摺６１、６２の取付板６ｄの逆Ｌ字形の溝６ｅに引掛けた後、蝶ねじボルト６ｉを締め付けることにより、後部手摺６３を組立てることができる。また、８は一端がかご上枠３に接続され、他端が複数の手摺６に接続されるワイヤーロープ等の紐状の接続体である。このワイヤーロープ８により、手摺６の組立時、収納時に、作業者が誤って手摺６を昇降路内に落下させるのを防止することができ、手摺落下による昇降路内機器の破損を防止することができる。
なお、図２では、前梁３ｂの上には、手摺６を設けていないが、後梁３ｃ上と同様に手摺６を設けてもよいことはもちろんである。
【００１１】
この実施の形態２の構造によれば、実施の形態１と同様の効果があり、更に、後部手摺を左右で接続しているため、手摺をより強固に構成できるので、かご上作業の安全性が向上する。
【００１２】
実施の形態３．
図４はこの発明の実施の形態３におけるエレベータかごの手摺装置の手摺の抜け止め構造を示す図２のＢ部詳細図である。
この実施の形態３は、手摺の抜け止め構造に関するものであり、図４に示すように、手摺６の両側の柱６ａの下端部をかご上枠３に形成した手摺差込孔３ｄに差し込んだ際に、それぞれに施工された孔６ｊ、３ｅにピン７を差し込むことにより、上下方向の移動を規制する規制手段を構成したものである。なお、手摺６の両側の柱６ａには、ピン７の孔位置を合わせるためのブロック６ｋが固定されている。
【００１３】
この実施の形態３の構造によれば、かご上での作業時の手摺の外れを防止でき、作業の安全性を図れる効果がある。
【図面の簡単な説明】
【００１４】
【図１】この発明の実施の形態１におけるエレベータかごの手摺装置の構成を示す側面図である。
【図２】この発明の実施の形態２におけるエレベータかごの手摺装置の構成を示す側面図である。
【図３】図２のＡ部詳細図である。
【図４】この発明の実施の形態３におけるエレベータかごの手摺装置の手摺の抜け止め構造を示す図２のＢ部詳細図である。
【符号の説明】
【００１５】
１  かご室
２  かご枠柱
３  かご上枠
３ａ  左右の側梁
３ｂ  前梁
３ｃ  後梁
３ｄ  手摺差込孔
３ｅ  孔
４  かごの扉
５  かご扉駆動装置
６  手摺
６ａ  柱
６ｂ  上桟
６ｃ  中桟
６ｄ  取付板
６ｅ  逆Ｌ字形の溝
６ｇ  接続板
６ｈ  ねじ穴
６ｉ  蝶ねじボルト
６ｊ  孔
６ｋ  ブロック
６１、６２  左右の手摺
６３  後部手摺
【図１】
2006117367.tif 000003
【図２】
2006117367.tif 000004
【図３】
2006117367.tif 000005
【図４】
2006117367.tif 000006